(57)【要約】【課題】操作子の揺動操作に節度を与えるのに、それが部品点数少なく実現できるようにする。【解決手段】可動コンタクト３４に、操作子２１の段部２７，２８に接触する接触部３６，３７を設けて、操作子２１を揺動操作したとき、段部２７，２８に接触部３６，３７が弾性的に乗り上げることで、操作子２１の揺動操作に節度を与えるようにした。これにより、従来のもののような節度ピースとスプリングとを要せずに、操作子２１の揺動操作に節度を与えることができる。【選択図】図１
2008177091.tif 000002
【特許請求の範囲】
【請求項１】
揺動可能に設けられた操作子と、
この操作子の揺動に応動する可動コンタクトと、
この可動コンタクトが接離する固定コンタクトとを具備するものにおいて、
前記操作子に段部を設け、
前記可動コンタクトに、前記操作子の段部に接触する接触部を設けて、
前記操作子を揺動操作したとき、該操作子の前記段部に前記可動コンタクトの接触部が弾性的に乗り上げることで、該操作子の揺動操作に節度を与えるようにしたことを特徴とするスイッチ装置。
【発明の詳細な説明】
【技術分野】
【０００１】
本発明は、揺動操作される操作子に節度を与える構造を改良したスイッチ装置に関する。
【背景技術】
【０００２】
従来より、スイッチ装置には、図８に示すように構成されたものが存在する。このものでは、スイッチケース１がケース下部体１ａとケース上部体１ｂとで構成されており、そのうちのケース上部体１ｂに、操作子２が軸部３を中心に図中時計回り及び反時計回りに揺動可能に支持されている。操作子２は軸部３の下方に筒部４を有しており、この筒部４にスプリング５と節度ピース６とが収納されている。
【０００３】
ケース下部体１ａとケース上部体１ｂとの間には、回路基板７が挟設されており、この回路基板７上に固定コンタクト８，９が一対ずつ設けられると共に、その固定コンタクト８，９の各対と接離する可動コンタクト１０，１１を可動部１２ａ，１２ｂにそれぞれ有する例えばゴム製のシート１２が設けられている。
【０００４】
回路基板７には、固定コンタクト８，９間の部分に孔１３が形成されており、この孔１３を上記操作子２の筒部４（スプリング５及び節度ピース６）が貫通している。そして、その貫通先であるケース下部体１ａの底面部には節度用の凹部１４，１５が形成されており、その一方（図示状態では凹部１４）に、上記節度ピース６がスプリング５による付勢力で係合している。
【０００５】
この構成で、操作子２を時計回りに揺動操作すれば、シート１２の可動部１２ｂが操作子２に押されて可動コンタクト１１を固定コンタクト９に接触させ、一方、操作子２を反時計回りに揺動操作すれば、シート１２の可動部１２ａが操作子２に押されて可動コンタクト１０を固定コンタクト８に接触させる。又、その操作子２の図中時計回りの揺動操作及び反時計回りの揺動操作のたびに、節度ピース６が凹部１４，１５間を行き来し、その途中、山部１６を乗り越えることで操作子２の揺動操作に節度が与えられるようになっている（例えば特許文献１参照）。
【特許文献１】実開平６−５０２０４号公報
【発明の開示】
【発明が解決しようとする課題】
【０００６】
上記従来のものの場合、操作子２の揺動操作に節度を与えるのに、節度ピース６とスプリング５とが必要であり、それだけ部品点数を多く要して、コスト高となっていた。
【０００７】
本発明は上述の事情に鑑みてなされたものであり、従ってその目的は、操作子の揺動操作に節度を与えるのに、それが部品点数少なく実現できるスイッチ装置を提供するにある。
【課題を解決するための手段】
【０００８】
上記目的を達成するために、本発明のスイッチ装置は、揺動可能に設けられた操作子と、この操作子の揺動に応動する可動コンタクトと、この可動コンタクトが接離する固定コンタクトとを具備するものにおいて、前記操作子に段部を設け、前記可動コンタクトに、前記操作子の段部に接触する接触部を設けて、前記操作子を揺動操作したとき、該操作子の前記段部に前記可動コンタクトの接触部が弾性的に乗り上げることで、該操作子の揺動操作に節度を与えるようにしたことを特徴とする。
【発明の効果】
【０００９】
上記手段によれば、可動コンタクトの接触部と操作子の段部とで、操作子の揺動操作に節度を与えることができるもので、従来のもののような節度ピースとスプリングとを要せずに、操作子の揺動操作に節度を与えることができる。
【発明を実施するための最良の形態】
【００１０】
以下、本発明の第１実施例（第１の実施形態）につき、図１ないし図４を参照して説明する。
まず、図１には、操作子２１を示しており、この操作子２１は、スイッチケース２２の開口部２３内に位置して、中央部を軸部２４により、スイッチケース２２に図中時計回り及び反時計回りに揺動可能に支持している。
【００１１】
操作子２１の下面の図中左右の両端部には、それぞれ凸部２５，２６を形成しており、その各内側（軸部２４側）の部分にそれぞれ段部２７，２８を形成している。この場合、凸部２５，２６は段部２７，２８よりも下方への突出量を大きくしている。
操作子２１の下方には、インシュレータ２９を配置しており、このインシュレータ２９には、図２にも示すように、固定コンタクト３０，３１及び固定コンタクト３２，３３を図中左右に離間させてそれぞれ上面のみ露出させ埋設している。
【００１２】
又、インシュレータ２９の上面には、固定コンタクト３０，３１及び固定コンタクト３２，３３間に位置して可動コンタクト３４を取付けている。この可動コンタクト３４は、中心部に取付孔３５を有しており、その左右両側に舌片状の接触部３６，３７を斜めに起立させて有し、更に、図２に示すように、その前後部のそれぞれ左右両側に、接片部３８，３９及び接片部４０，４１をいずれもほゞへ字状に起立させて有している。この場合、図１に示すように、接触部３６，３７の先端部の高さは接片部３８〜４１の頂部の高さよりも高くしており、又、接触部３６，３７の先端部よりも接片部３８，３９の頂部及び接片部４０，４１の頂部がそれぞれ外側に位置するようにしている。
【００１３】
そして、この可動コンタクト３４は、取付孔３５をインシュレータ２９上の突起４２に嵌合して取付けており、その取付状態で、接触部３６，３７の先端部が前記操作子２１の段部２７，２８に軸部２４側で当接し、接片部３８，３９の頂部及び接片部４０，４１の頂部が操作子２１の凸部２５，２６の下面に当接している。
【００１４】
さて、上述のごとく構成したものの場合、操作子２１を操作する前は、接片部３８，３９は固定コンタクト３０，３１から離間し、接片部４０，４１の先端部は固定コンタクト３２，３３から離間している。
この状態から、今、操作子２１の右側を図３に矢印Ａで示すように押すと、操作子２１は時計回りに揺動操作される。それにより、操作子２１の凸部２６が可動コンタクト３４の接片部４０，４１の頂部を押すことで、該接片部４０，４１が伸展されるので、該接片部４０，４１の先端部がそれぞれ固定コンタクト３２，３３に接触する。これにより、固定コンタクト３２，３３間が可動コンタクト３４により橋絡され導通される。
【００１５】
そして又、そのときには、可動コンタクト３４の接触部３７が、図４に実線から二点鎖線の変化で示すように、操作子２１の段部２８に弾性的に乗り上げる。これにより、操作子２１の時計回りの揺動操作（可動コンタクト３４で固定コンタクト３２，３３間を導通させる操作）に節度が与えられる。
【００１６】
なお、図示はしないが、操作子２１の左側を押すと、操作子２１は反時計回りに揺動操作される。それにより、操作子２１の凸部２５が可動コンタクト３４の接片部３８，３９の頂部を押すことで、該接片部３８，３９が伸展されるので、該接片部３８，３９の先端部がそれぞれ固定コンタクト３０，３１に接触する。これにより、固定コンタクト３０，３１間が可動コンタクト３４により橋絡され導通される。
そして又、そのときには、可動コンタクト３４の接触部３６が、操作子２１の段部２７に弾性的に乗り上げる。これにより、操作子２１の反時計回りの揺動操作（可動コンタクト３４で固定コンタクト３０，３１間を導通させる操作）に節度が与えられる。
【００１７】
このように本構成のものによれば、可動コンタクト３４の接触部３６，３７と操作子２１の段部２７，２８とで、操作子２１の揺動操作に節度を与えることができるもので、従来のもののような節度ピースとスプリングとを要せずに、操作子２１の揺動操作に節度を与えることができる。よって、使用部品点数少なくでき、コストの低減化ができる。
【００１８】
以上に対して、図５ないし図７は本発明の第２実施例（第２の実施形態）を示すもので、第１実施例と同一の部分には同一の符号を付して説明を省略し、異なる部分についてのみ述べる。
このものの場合、可動コンタクト５１を、前記可動コンタクト３４に代え、接触部５２，５３がそれぞれ前記接触部３６，３７から前記接片部３８，３９及び接片部４０，４１を含む広幅なものとして、該接触部５２，５３から接片部５４，５５を延長形成したものとしており、要するに、前記接触部３６と接片部３８，３９、並びに接触部３７と接片部４０，４１とをそれぞれ一つで形成したものとしている。
【００１９】
そして、それに対し、操作子２１は段部２７，２８のみを有する（凸部２５，２６を有しない）ものとして、操作子２１を揺動操作したとき、図７に代表して示すように、接触部５３（接触部５２）がその段部２８（段部２７）に弾性的に乗り上げて操作子２１の揺動操作に節度を与えると共に、該接触部５３（接触部５２）から接片部５５（接片部５４）を伸展させて固定コンタクト３２，３３（固定コンタクト３０，３１）に接触させる。
【００２０】
かくして、このものでも、可動コンタクト５１の接触部５３，５４と操作子２１の段部２７，２８とで、操作子２１の揺動操作に節度を与えることができるもので、従来のもののような節度ピースとスプリングとを要せずに、操作子２１の揺動操作に節度を与えることができることから、使用部品点数少なくでき、コストの低減化ができる。
このほか、本発明は上記し且つ図面に示した実施例にのみ限定されるものではなく、要旨を逸脱しない範囲内で適宜変更して実施し得る。
【図面の簡単な説明】
【００２１】
【図１】本発明の第１実施例を示す全体の縦断面図
【図２】スイッチケースを除く全体の分解斜視図
【図３】全体の、操作子操作状態の縦断面図
【図４】主要部分の拡大縦断面図
【図５】本発明の第２実施例を示す図１相当図
【図６】図２相当図
【図７】図３相当図
【図８】従来例を示す図１相当図
【符号の説明】
【００２２】
図面中、２１は操作子、２７，２８は段部、３０〜３３は固定コンタクト、３４は可動コンタクト、３６，３７は接触部、５１は可動コンタクト、５２，５３は接触部を示す。
【図１】
2008177091.tif 000003
【図２】
2008177091.tif 000004
【図３】
2008177091.tif 000005
【図４】
2008177091.tif 000006
【図５】
2008177091.tif 000007
【図６】
2008177091.tif 000008
【図７】
2008177091.tif 000009
【図８】
2008177091.tif 000010